(57)【要約】【課題】メモリカードに記録された失敗画像データを自動的に見つけ出し、優先的に消去する。【解決手段】メモリカードの画像データの記録可能容量が不足した場合に、画像データにＥｘｉｆ  Ｔａｇデータが付加された画像ファイルをメモリカードから読み出す。デジタルカメラは、画像ファイル内のＭａｋｅｒ  Ｎｏｔｅ  Ｔａｇを確認して警告情報の有無を判定する。警告情報があると画像ファイル内の画像データは失敗画像データであると判定され、この画像データの画像をデジタルカメラの表示部に表示させた後に、失敗画像データの画像ファイルがメモリカードから自動的に消去される。この判定、消去はメモリカードに記憶されているすべての画像ファイルに対して行われる。そして、新たに撮影した画像データにＥｘｉｆ  Ｔａｇデータが付加された画像ファイルがメモリカードに記録される。【選択図】        図３
2004201247.tif 000002
【特許請求の範囲】
【請求項１】
撮影手段によって撮影された画像データを着脱自在の記録媒体に記録させるデジタルカメラにおいて、
前記撮影された画像データ及び撮影条件に基づいて、撮影に失敗した画像を判定する判定手段と、失敗した画像であると判定された画像データに判定結果に対応する警告情報を付加する警告付加手段とを備え、警告情報が付加された画像データを着脱自在の記録媒体に記録することを特徴とするデジタルカメラ。
【請求項２】
警告情報が付加されている画像データを前記記録媒体から読み出す読出し手段を備え、前記記録媒体の画像データの記録可能容量が不足した場合に、前記読出し手段によって警告情報の付加された画像データを前記記録媒体から読み出して、記録媒体から自動的に消去する消去手段及びカメラに設けられている表示部に表示する表示手段のうち少なくとも一つの手段を備えたことを特徴とする請求項１記載のデジタルカメラ。
【請求項３】
画像データを外部のデータ受信手段へ送信するデータ通信手段を備え、前記記録媒体の画像データの記録可能容量が不足した場合に、前記読出し手段によって前記記録媒体から前記警告情報が付加されている画像データを読み出して、この画像データをデータ受信手段へ送信することを特徴とする請求項１または２記載のデジタルカメラ。
【請求項４】
前記画像データに付加された警告情報に予め重み付けをしておき、前記記録媒体の画像データの記録可能容量が不足した場合には、前記読出し手段によって重み付けの重い警告情報が付加された画像データから順に前記記録媒体から読み出されることを特徴とする請求項１ないし３いずれか記載のデジタルカメラ。
【請求項５】
前記画像データに付加される警告情報は、手ブレに関する手ブレ警告情報、露出に関するＡＥ警告情報、焦点に関するＡＦ警告情報のうち少なくとも一つの警告情報であることを特徴とする請求項１ないし４いずれか記載のデジタルカメラ。
【発明の詳細な説明】
【０００１】
【発明の属する技術分野】
本発明は、デジタルカメラに関し、撮影に失敗した画像データを簡単かつ優先的に消去するものである。
【０００２】
【従来の技術】
デジタルカメラで撮影された撮影画像データは、ＪＰＥＧ（Joint Photographic coding expert group）形式などを用いて圧縮し、データ量を減らした状態にして着脱自在の記録媒体であるメモリカードなどに記憶されている。近年、デジタルカメラのＣＰＵ処理速度の向上と、記録手段として使用されるメモリカードの大容量化が進んでいる。従って、１個のメモリカードにより多くの枚数の撮影画像データを記録することが可能となってきており、例えば、本出願人より製造・販売されているＦｉｎｅＰｉｘＳ６０２（商品名）の場合、１２８ＭＢのスマートメディア（登録商標）に１２８０×６４０の記録画素数、及び通常の画質モードで使用すると、３９８枚分の撮影画像データを記録することができる。このため、デジタルカメラでは、撮影の失敗をしても銀塩カメラのようにフイルムの無駄を気にすることがないので、何度も撮り直しを行ってたくさんの撮影画像データをメモリカードに記録させる撮影方法が一般的である。
【０００３】
しかし、メモリカードの画像データの記録容量が足りなくなった場合には、撮影に失敗した画像データを一枚ずつ視認しながら消去しなければならない。メモリカードに記録された画像データを消去する従来技術としては、デジタルカメラにメモリカードが挿入されたことを検知して、メモリカードのフォーマットまたは記録されている画像データの消去を行っている（例えば、特許文献１参照）。また、撮影した各画像データにユーザーが消去プロテクトのオン、オフの設定をすることで重要な画像データを消去できないようにしている（例えば、特許文献２および３）。また、古い画像、アクセス回数や色数の少ない画像、ユーザーがマーキングしない画像を自動的に選んで画像データを送信したり画像処理を行っている（例えば、特許文献４参照）。
【０００４】
【特許文献１】
特開平０６−１４２２９号公報
【特許文献２】
特開平０９−１８２０１１号公報
【特許文献３】
特開平０９−１８２０１３号公報
【特許文献４】
特開平１０−３０４２３１号公報
【０００５】
【発明が解決しようとする課題】
しかしながら、何百枚もある画像を一枚ずつ視認しながら消去を繰り返す作業は、大変煩雑で時間もかかり、大事な撮影チャンスを逃す恐れもある。特許文献１では、メモリカードに記録されているすべての画像データが消去されてしまう。特許文献２および３では、ユーザーが各画像データに消去プロテクトのオン、オフを設定するため撮影画像が多いと大変手間がかかる。特許文献４では、古い画像やアクセス数が少ない画像等が選択されて送信や画像処理等が行われるため、メモリカードなどの記録媒体に記録しておきたい必要な画像データまでも送信等の処理が行われるメモリーカードから消去される可能性がある。
【０００６】
本発明は、撮影に失敗した画像データを記録媒体から自動的に判別して、簡単かつ優先的に失敗画像データを消去することができるデジタルカメラの提供を目的とする。
【０００７】
【課題を解決するための手段】
撮影手段によって撮影された画像データを着脱自在の記録媒体に記録させるデジタルカメラにおいて、撮影された画像データ及び撮影条件に基づいて、撮影に失敗した画像を判定する判定手段と、失敗した画像であると判定された画像データに判定結果に対応する警告情報を付加する警告付加手段とを備え、警告情報が付加された画像データを着脱自在の記録媒体に記録するものである。
【０００８】
警告情報が付加されている画像データを記録媒体から読み出す読出し手段を備え、記録媒体の画像データの記録可能容量が不足した場合に、読出し手段によって警告情報の付加された画像データを記録媒体から読み出して、記録媒体から自動的に消去する消去手段及びカメラに設けられている表示部に表示する表示手段のうち少なくとも一つの手段を備えたものである。
【０００９】
画像データを外部のデータ受信手段へ送信するデータ通信手段を備え、記録媒体の画像データの記録可能容量が不足した場合に、読出し手段によって記録媒体から警告情報が付加されている画像データを読み出して、この画像データをデータ受信手段へ送信するものである。
【００１０】
画像データに付加された警告情報に予め重み付けをしておき、記録媒体の画像データの記録可能容量が不足した場合には、読出し手段によって重み付けの重い警告情報が付加された画像データから順に記録媒体から読み出されるものである。
【００１１】
画像データに付加される警告情報は、手ブレに関する手ブレ警告情報、露出に関するＡＥ警告情報、焦点に関するＡＦ警告情報のうち少なくとも一つの警告情報である。
【００１２】
【発明の実施の形態】
図１は、第１実施形態のデジタルカメラ１１の電気的構成を示す。システムコントロ−ラ２５は、システムメモリ２４に格納された制御プログラムに従ってデジタルカメラ１１の各部を制御する。入力部２６は、レリーズボタンや各種操作ボタンなどの操作に応じた操作信号をシステムコントローラ２５に送る。これらの操作信号に基づいて、システムコントローラ２５は、各部を制御して撮影のためのシーケンスを実行する。
【００１３】
撮影レンズ１７は、フォーカスレンズ１７ａ，及び絞り１７ｂを含んでいる。フォーカスレンズ１７ａ，絞り１７ｂは、詳細を後述するように、それぞれ対応するフォーカスモータ２７，絞り用モータ２８によって駆動される。
【００１４】
撮影レンズ１７の背後には、ＣＣＤイメージセンサ３０が配されている。ＣＣＤイメージセンサ３０は、ＣＣＤドライバ３１によって駆動され、光学的な被写体画像を電気的な撮影信号に変換して出力する。ＣＣＤイメージセンサ３０の各受光素子の電荷蓄積量（露光量）は、電子シャッタと、絞り１７ｂとで調節される。
【００１５】
ＣＣＤイメージセンサ３０からの撮影信号は、アナログ処理回路３２に送られ、ゲイン調整，γ処理等が行われる。Ａ／Ｄ変換器３３は、アナログ処理回路３２で処理された撮影信号をＲＧＢの撮影画像データに変換する。Ａ／Ｄ変換器３３からの撮影画像データは、画像データ処理回路３４，ＡＥ処理回路３５，ＡＦ処理回路３６に送られる。
【００１６】
画像データ処理回路３４は、ＬＣＤ表示用のガンマ補正，解像度の変更，撮影画像データの記録時のデータ圧縮や読出し時のデータ伸張等のデータ処理を行う。撮影モード下では、処理済みの撮影画像データは、ＬＣＤドライバ３７に送られる。これにより、ＬＣＤ１０には撮影中の被写体画像が動画としてスルー表示され、ビューファインダとして使用することができる。
【００１７】
メモリＩ／Ｆ（メモリインターフェース）３８は、メモリスロット２１に装着されているメモリカード１３のデータの入出力を制御する。撮影モード下でレリーズボタンを押圧操作すると、その直後に得られる１フレーム分の撮影画像データがメモリＩ／Ｆ３８に送られ、メモリカード１３に記録される。この撮影画像データの形式としては例えば、画像データをデータ圧縮してから格納するＪＰＥＧ形式で記録している。
【００１８】
ＡＥ処理部３５は、Ａ／Ｄ変換器３３から出力される撮影画像データに基づいて、ＣＣＤイメージセンサ３０の露光量が適正となるようにＣＣＤイメージセンサ３０の電子シャッタのシャッタ速度と、絞り１７ｂの絞り値とをフィードバック制御する。まず、ＡＥ処理部３５はＣＣＤイメージセンサ３０の露光量がＡＥ連動可能な範囲内にあるか否かを判定する。すなわち、被写体輝度が明る過ぎたり、暗過ぎたりするときには、ＡＥ連動範囲外であると判定し、ＡＥ処理部３５は、シャッタ速度及び絞り値の制御を停止する。そして、ＣＣＤイメージセンサ３０の露光量がＡＥ連動範囲内にあるときには、予め設定されたプログラムに基づいて、シャッタ速度及び絞り値の制御を行う。さらに、ＡＥ処理部３５からシステムコントローラ２５へＡＥ連動範囲内にあるか否かの判定結果、及び電子シャッタのシャッタ速度、及び絞り１７ｂの絞り値が送信される。ＣＣＤイメージセンサ３０の電子シャッタは、ＣＣＤドライバ３１を介して制御される。そして、絞り１７ｂの絞り値は、ドライバ４１を介して絞り用モータ２８を駆動することによって行われる。絞り用モータ２８としては、ステッピングモータが用いられている。
【００１９】
ＡＦ処理部３６は、Ａ／Ｄ変換器３３から出力される撮影画像データに基づいて、被写体のピント状態を検出し、適正なピント状態となるようフォーカスレンズ１７ａを光軸方向に沿って前後に移動させる。このとき、被写体のピント状態がＡＦ連動可能な範囲外にあるとき、すなわち、焦点距離が、遠過ぎたり、又は近過ぎたりしたときには、ＡＦ連動範囲外であると判定し、フォーカスレンズ１７ａの移動を停止する。そして、焦点距離がＡＦ連動可能な焦点距離の範囲内にあるときには、ＡＦ連動範囲内であると判定し、予め設定されたプログラムに基づいた移動量でフォーカスレンズ１７ａを移動させる。さらに、ＡＦ処理部３６で判定されたＡＦ連動範囲内にあるか否かの判定結果、及び焦点距離の測定値は、システムコントローラ２５へ送信される。フォーカスレンズ１７ａの移動は、ドライバ４２を介してフォーカスモータ２７を駆動することによって行われる。フォーカスモータ２７としては、絞り用モータ２８と同様にステッピングモータが用いられている。
【００２０】
手ブレ検出部４３は、例えば角速度センサからなり、光軸と垂直な面の上下及び左右方向のブレを検出して、手ブレ処理部４４に送信する。手ブレ処理部４４では手ブレ検出部４３のブレ検出結果に基づいてブレ量を算出する。さらに、手ブレ処理部４４では、予め設定されたプログラムに基づいて、上述したブレ量が規定量の範囲内であるか否かを判定する。そして、この判定結果はシステムコントローラ２５へ送信される。
【００２１】
撮影条件データ処理回路４６では、ＡＥ連動範囲内であるか否かの判定結果、シャッタ速度、絞り値、ＡＦ連動範囲内であるか否かの判定結果、及び手ブレ量の判定結果などの情報が被写体を撮影した１フレーム分の各画像毎にシステムコントローラ２５から送信されてくる。そして、撮影条件データ処理回路４６では、これら各種情報に基づいて、撮影条件データを作成する。そして、この撮影条件データがメモリＩ／Ｆ３８に送られ、撮影画像データとともにメモリカード１３に記録される。
【００２２】
メモリカード１３は、高速でアクセスが可能なＤＲＡＭ（Ｄｙｎａｍｉｃ  ＲＡＭ）から構成されている。デジタルカメラ１１で撮影された撮影画像データは、図２に示すようなファイル構造で記録されており、デジタルカメラ１１で撮影された撮影画像データ及びその撮影条件データが撮影画像ファイルとして記録される。これら撮影画像ファイルには、メモリカード１３内で各コマを識別できるように１〜ｎのファイル名が連番で付与される。撮影画像ファイルはすべて撮影画像フォルダにまとめて格納される。各撮影画像ファイルは、例えば電子情報技術産業協会（ＪＥＩＤＡ）から発表された規格であるＥｘｉｆフォーマットで記録される。
【００２３】
Ｅｘｉｆフォーマットは、撮影画像データに加えてＥｘｉｆ  Ｔａｇデータが付加されたものである。撮影画像データは、上述した圧縮形式のＪＰＥＧ形式で記録されるが、撮影画像データの形式としては、このＪＰＥＧ形式の他に、非圧縮形式のＴｉｆｆ形式で記録してもよい。さらに、Ｅｘｉｆフォーマットには、インデックス表示等に使用するためのサムネイル画像データを含めることもできる。
【００２４】
Ｅｘｉｆ  Ｔａｇデータには、撮影条件データ処理回路４６で作成された各種撮影条件データが書き込まれる。このＥｘｉｆ  Ｔａｇデータには、撮影日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ  Ｎｏｔｅ  Ｔａｇデータとが含まれる。Ｍａｋｅｒ  Ｎｏｔｅ  Ｔａｇデータとは、各カメラメーカーが自由にメーカー固有の情報を設定できるエリアであり、このエリアには、例えば撮影に使用した機種データなどが記録される。なお、撮影画像ファイルの形式はＥｘｉｆフォーマットに限るものではない。
【００２５】
本実施形態においては、Ｍａｋｅｒ  Ｎｏｔｅ  Ｔａｇに各種警告情報が書き込まれる。各種警告情報としては、システムコントローラ２５に送られたＡＥ処理部３１、ＡＦ処理部３２、手ブレ処理部４４での判定結果に基づいて、システムコントローラ２５内の判定部２５ａによって失敗画像データであるか否かが判定される。この時、失敗画像データであると判定されると、システムコントローラ２５内の警告付加手段である警告付加部２５ｂによって判定部２５ａの判定結果に対応したＡＥ警告、ＡＦ警告、手ブレ警告の警告情報がＭａｋｅｒ  Ｎｏｔｅ  Ｔａｇ内の所定位置に書き込まれる。また、これら警告情報の他に、Ｍａｋｅｒ  Ｎｏｔｅ  Ｔａｇには、画質モード、撮影時シャープネス強度、ホワイトバランスモードなどの情報が書き込まれる。
【００２６】
撮影操作が繰り返し行われ、メモリカード１３に撮影画像データを新たに記録する空き容量がなくなった場合には、システムコントローラ２５はメモリカード１３に記録されている撮影画像ファイルのコマ番号１から最後に記録されたｎ番までの画像ファイルを順番に読み出し、撮影に成功した画像データか、失敗した画像データかを判定する。成功画像データか、失敗画像データかの画像判定方法としては、各画像ファイルのＭａｋｅｒ  Ｎｏｔｅ  Ｔａｇに書き込まれた各種警告情報に基づいて判定する。すなわち、上述したＡＥ警告、ＡＦ警告、手ぶれ警告のうち、１つでもＭａｋｅｒ  Ｎｏｔｅ  Ｔａｇに警告情報が書き込まれている画像ファイルについては失敗画像データであると判定し、警告情報が１つも書き込まれていない画像ファイルについては成功画像データであると判定する。
【００２７】
失敗画像データと判定されると、メモリカード１３から画像データ処理回路３４を介してＬＣＤドライバ３７に送られてＬＣＤ１０に画像を表示させ、ユーザに画像を確認させた後、失敗と判定された画像データの画像ファイルがメモリカード１３から自動的に消去される。この操作が画像フォルダに格納してあるすべての画像ファイルに対して行われる。そして、メモリカード１３には新たに撮影された撮影画像データにＥｘｉｆ  Ｔａｇデータが付加された画像ファイルが記録される。
【００２８】
上記構成の作用について図３を使用して説明する。デジタルカメラ１１で撮影されて得られた撮影画像データにＥｘｉｆ  Ｔａｇデータが付加された画像ファイルは、コマ番号を付与されてメモリカード１３の画像フォルダに順次記録される。メモリカード１３の画像データの記録容量が一杯になり、新たに撮影された画像データが記録できない場合には、デジタルカメラ１１はメモリカード１３内の画像フォルダに格納されているコマ番号１番の画像ファイルを読出し、Ｍａｋｅｒ  Ｎｏｔｅ  Ｔａｇをチェックする。この時、Ｍａｋｅｒ  Ｎｏｔｅ  ＴａｇにＡＥ警告、ＡＦ警告、手ぶれ警告のうち、１つでも警告情報が書き込まれている画像ファイルについては失敗画像データであると判定する。すると、デジタルカメラ１１に備えてあるＬＣＤ１０に、失敗画像であると判定された画像データの画像を表示させて、この画像ファイルをメモリカード１３から自動的に消去する。もし、１つも警告情報が書き込まれていない場合には成功画像データと判定されるためそのまま記録される。
【００２９】
失敗画像データを判定する作業は、メモリカード１３に記録されているすべての画像ファイルに対して行われる。失敗画像データと判定された画像データの画像ファイルはすべてメモリカード１３から消去される。すると、メモリカード１３には画像データを記録する容量ができたため、新たに撮影した画像データにＥｘｉｆ  Ｔａｇデータが付加された画像ファイルがメモリカード１３の画像フォルダに記録される。
【００３０】
なお、本実施例では失敗画像データと判定した後で、画像をＬＣＤ１０に表示させてから自動消去したが、失敗画像データの画像をＬＣＤ１０に表示させてユーザーによって手動で消去させてもよく。また、ＬＣＤ１０に画像を表示させずに失敗画像データと判定したものを自動的に消去させてもよい。
【００３１】
本発明の第２の実施形態を説明する。図４はデジタルカメラ１２の電気構成を示すブロック図である。図１に示すデジタルカメラ１１と同じ構成のものは同符号を使用して説明は省略する。デジタルカメラ１２は通常の写真撮影機能の他にＰＨＳによる通信機能を備えており、デジタルカメラ１２の本体内にはＰＨＳ通信部５０とアンテナ５１を備えている。。
【００３２】
ユーザによって撮影操作が繰り返し行われると、撮影画像データにＥｘｉｆ  Ｔａｇデータが付加された画像ファイルが、メモリカード１３の画像フォルダにコマ番号が付与されて順次記録される。メモリカード１３に新たに撮影した画像データを記録する空き容量がなくなった場合には、画像フォルダからコマ番号順位に画像ファイルがシステムコントローラ２５に読み出されて、画像ファイル内のＭａｋｅｒ  Ｎｏｔｅ  Ｔａｇをチェックする。Ｍａｋｅｒ  Ｎｏｔｅ  ＴａｇにＡＥ警告、ＡＦ警告、手ぶれ警告のうち、１つでも警告情報が書き込まれている場合には失敗画像データであると判定し、システムコントローラ２５に設けられたＲＡＭに失敗画像データと判定された画像データの画像ファイルが一時的に記憶されるとともに、ＲＡＭに記憶させた画像ファイルをメモリカード１３の画像フォルダから消去する。
【００３３】
失敗画像データの判定は、タグ番号順に画像フォルダ内のすべての画像ファイルに対して行われ、失敗画像データであると判定された画像データの画像ファイルは、その都度システムコントローラ２５に設けられたＲＡＭに記憶されるとともに、メモリカード１３の画像フォルダから消去される。画像フォルダ内の最後のタグ番号が付与された画像ファイルの判定が終了すると、システムコントローラ２５のＲＡＭに記憶されたすべての画像ファイルがＰＨＳ通信部５０を介して、ＰＩＡＦＳ及びＡＲＩＢＳＴＤ２８ブロトコルによってネット上の画像サーバー等に送信、保存される。したがって、メモリカード１３には新たに撮影した画像データにＥｘｉｆ  Ｔａｇデータが付加されてなる画像ファイルが記録される。なお、ＲＡＭに記憶された画像ファイルをネット上の画像サーバーに送信したが、ユーザによって送信または消去を選択させてもよい。
【００３４】
上記構成による作用を図５を使用して説明する。デジタルカメラ１２で撮影された画像は上述したように、撮影画像データにＥｘｉｆ  Ｔａｇデータが付加された画像ファイルとしてメモリカード１３の画像フォルダに順次記録されていく。メモリカード１３の記録容量が一杯になり新たに撮影された画像データが記録できない場合には、システムコントローラ２５は画像フォルダをコマ番号順に読み出して画像ファイル内のＭａｋｅｒ  Ｎｏｔｅ  Ｔａｇをチェックする。この時、ＡＥ警告、ＡＦ警告、手ぶれ警告のうち、１つでも警告情報が書き込まれている画像ファイルについては失敗画像データであると判定する。失敗画像データと判定された画像データの画像ファイルは、システムコントローラ２５に設けられたＲＡＭに一時的に記憶されるとともに、メモリカード１３の画像フォルダから消去される。この作業が画像フォルダ内に記録されているすべての画像ファイルに対して行われる。
【００３５】
画像ファイルの判定が終了すると、ＲＡＭに記憶された画像ファイルはＰＨＳ回線を使用してネット上の画像サーバーに送信されて保存される。そして、新たに撮影された画像データは、Ｅｘｉｆ  Ｔａｇデータが付加された画像ファイルとなってメモリカード１３の画像フォルダに記録される。ユーザーは後からパソコンなどによってネット上の画像サーバーに接続するこで画像ファイルを確認しながら消去や保存の操作を行うことができる。なお、本実施例ではＰＨＳ回線を使用したが携帯電話回線でもよい。また、デジタルカメラ１２にＰＨＳ通信部５０を設けたが、外部機器用のインターフェイスを設けてＰＨＳ電話機や携帯電話機を接続させて通信を行ってもよい。
【００３６】
また、本実施例では、メモリカード１３の画像フォルダに記録されているコマ番号の小さい順に画像ファイルをシステムコントローラ２５に読み出して失敗画像データの判定を行い、失敗画像データと判定された画像データの画像ファイルをすべて一度に消去させたが、図６に示すように、ＡＥ警告、ＡＦ警告、手ぶれ警告にそれぞれ失敗度を設定して失敗度の高い順に消去させてもよい。例えば、ＡＦ警告の警告ありは失敗度「３」、ＡＥ警告の警告ありは「２」、手ぶれ警告の警告ありは「１」、警告情報がない場合は「０」と予めシステムメモリ２４に失敗度を設定しておく。なお、失敗度「０」は成功画像データである。
【００３７】
システムコントローラ２５がＭａｋｅｒ  Ｎｏｔｅ  Ｔａｇをチェックして失敗画像データの判定をおこなう際には、各警告情報の判定とともに、失敗度の判定も行う。もし、ＡＥ警告、ＡＦ警告、手ぶれ警告のすべての警告情報が書き込まれている場合は、失敗度は「６」となり最も失敗度が高いと判定する。システムコントローラ２５は画像フォルダに格納されているすべての画像ファイルの失敗度を判定する。そして最初に失敗度「６」の画像ファイルを読み出して消去を行う。失敗度「６」の画像ファイルがなくなると次に失敗度「５」の画像ファイルを消去を行う。このようにして、最後は失敗度「１」の画像ファイルの消去を行う。なお、予め失敗度をシステムメモリ２４に設定させたが、ユーザが失敗度をシステムメモリ２４に設定してもよい。
【００３８】
また、図７のフローチャートに示すように、メモリカード１３の記録容量の空きがなくなった場合には、撮影操作に応じて１フレーム分の画像データをメモリカード１３に記録させるために、画像フォルダ内のタグ番号の小さい順に画像ファイルからＭａｋｅｒ  Ｎｏｔｅ  Ｔａｇをチェックして失敗画像データを探し、この失敗画像データの画像ファイルを１つだけメモリーカードから自動的に消去させてもよい。そして、新たに撮影した画像データにＥｘｉｆ  Ｔａｇデータが付加された画像ファイルを記録させるてもよい。なお、失敗画像データの画像ファイルを自動消去させたが、ＬＥＤ１０に表示させた後にユーザーに手動で消去させてもよい。また、ネット上の画像サーバーへ失敗画像データの画像ファイルを送信してもよい。
【００３９】
また、図８に示すように、メモリカード１３の記録容量が一杯になった場合には、自動的に消去させる画像ファイルの数をユーザがシステムコントローラ２５に設定を行い、失敗画像データと判定された画像データの画像ファイルを設定数分だけ自動的に消去もよい。なお、失敗画像データの画像ファイルを設定枚数分だけ自動的に消去させたがＬＣＤ１０に表示させた後に手動によって消去を選択させてもよい。また、ネット上の画像サーバーに送信してもよい。
【００４０】
なお、図７および図８ではコマ番号順に画像ファイルを読み出して、失敗画像データの判定を行ったが、上記した失敗度を設定して失敗度の高い画像データの画像ファイルから順に自動的に消去、ＬＣＤ１０に表示後ユーザによって手動で消去選択、またはネット上の画像サーバーへ送信を行ってもよい。
【００４１】
なお、上記例においては、撮影画像データと同じ撮影画像ファイルにあるＥｘｉｆ  ＴａｇデータのＭａｋｅｒ  Ｎｏｔｅ  Ｔａｇデータの中に書き込まれた各種警告情報を使用して、撮影画像データの判定を行っているが、本発明はこれに限らず、他の撮影条件データを使用して判定を行ってもよい。例えば、Ｅｘｉｆ  ＴａｇデータのＭａｋｅｒ  Ｎｏｔｅ  Ｔａｇデータではなく、Ｅｘｉｆ固有情報の中に各種警告情報を設定してもよいし、Ｅｘｉｆ固有情報にすでに設定されている撮影条件データから判定をおこなってもよい。この場合、例えば、Ｅｘｉｆ固有情報にすでに設定されている撮影条件データのうち、例えば焦点距離、ストロボ発光の有無を読み込み、焦点距離が短い測定値であるにもかかわらずストロボ発光の有るものは失敗画像データであると判定するなど、各種撮影条件データを適宜組み合わせて判定を行うとよい。
【００４２】
あるいは、撮影条件データを書き込むためのファイル構造としては、上述したように撮影画像データと同じファイルに書き込むものではなく、メモリカード１３の中に撮影画像フォルダとは別の撮影条件フォルダを作成し、この撮影条件フォルダの中に、各撮影画像データに対応した撮影条件データを書き込んでいくようにしてもよい。
【００４３】
【発明の効果】
以上のように、本発明によれば、撮影に失敗した画像データに警告情報が付加されて着脱自在の記録媒体に記録されているので、記録媒体の画像データの記録可能容量が不足した場合には、記録媒体内から優先的に撮影に失敗した画像データが読み出されるので、簡単でしかも素早く失敗した画像データを消去することができる。
【図面の簡単な説明】
【図１】第１の実施形態を示すデジタルカメラの電気的構成を示すブロック図である。
【図２】撮影画像ファイルのデータ構造を示す説明図である。
【図３】第１の実施形態を示すフローチャートである。
【図４】第２の実施形態を示すデジタルカメラの電気的構成を示すブロック図である。
【図５】第２の実施形態を示すフローチャートである。
【図６】失敗度順に消去する流れを示すフローチャートである。
【図７】失敗画像データを一枚だけ消去させる流れを示すフローチャートである。
【図８】設定枚数の失敗画像データを消去させる流れを示すフローチャートである。
【符号の説明】
１０  ＬＣＤ
１３  メモリカード
２４  システムメモリ
２５  システムコントローラ
４６  撮影条件データ処理部
５０  ＰＨＳ通信部
５１  アンテナ
【図１】
2004201247.tif 000003
【図２】
2004201247.tif 000004
【図３】
2004201247.tif 000005
【図４】
2004201247.tif 000006
【図５】
2004201247.tif 000007
【図６】
2004201247.tif 000008
【図７】
2004201247.tif 000009
【図８】
2004201247.tif 000010